(57)【要約】【目的】レンジフードや換気扇から作業者等が汚れたフィルタに直に触れることなく、フィルタ脱着作業を簡易且つ円滑に行うことのできるフィルタ脱着具を提供することである。【構成】例えば、レンジフードないし換気扇に取着された使用済みフィルタを取り外すとき、グリップ部１から延設された突刺体４の開放端をフィルタのフィルタ面に向けて突き刺すことにより、フィルタ繊維に４本の突刺体４を絡ませて保持し、レンジフードないし換気扇からのフィルタ脱離作業を円滑に行うことができる。【選択図】  図１
2010107119.tif 000002
【特許請求の範囲】
【請求項１】
レンジフード又は換気扇のフィルタ取付部に装着されるフィルタの取付・取外に用いるフィルタ脱着具であって、作業者の手指で把握するグリップ部と、前記グリップ部の長手方向に延設された、３本以上の突刺部とを具備し、前記突刺部の開放端を前記フィルタに突き刺して前記フィルタ取付部から脱着することを特徴とするフィルタ脱着具。
【請求項２】
前記突刺部は、前記グリップ部に接続される中心部と、前記中心部から放射状に延設された支持腕部と、前記支持腕部の端部に突設された突刺体とからなる請求項１に記載のフィルタ脱着具。
【請求項３】
前記支持腕部と前記突刺体は直線状又は曲線状に連結されている請求項２に記載のフィルタ脱着具。
【請求項４】
前記突刺体の先端部分が外向き又は内向きに屈曲した請求項２又は３に記載のフィルタ脱着具。
【請求項５】
前記突刺体は、前記支持腕部の端部に植設された線材からなる請求項２、３又は４に記載のフィルタ脱着具。
【請求項６】
前記線材は、金属、樹脂又はセラミックスのいずれか又は２種以上の複合材からなる請求項５に記載のフィルタ脱着具。
【請求項７】
前記線材はクリンプ形状の線材からなる請求項４、５又は６に記載のフィルタ脱着具。
【請求項８】
前記中心部、前記支持腕部及び前記突刺体が1本の線材を折曲加工又は湾曲加工して構成された請求項２〜７のいずれかに記載のフィルタ脱着具。
【請求項９】
前記突刺部の突刺方向に移動自在に配置されたフィルタ分離部材を有し、前記フィルタ分離部材を前記突刺部の前記開放端方向に移動させることにより、前記突刺部に突き刺した前記フィルタを離脱させる請求項１〜８のいずれかに記載のフィルタ脱着具。
【請求項１０】
前記フィルタ分離部材は、前記中心部に対しスライド自在に収設されるスライド部と、前記スライド部から延設されたフィルタ押出部とからなり、前記スライド部を前記中心部に沿って前記突刺部の突刺方向にスライド移動させることにより、前記フィルタ押出部を前記突刺部に突き刺した前記フィルタに当接させて前記突刺方向と逆の方向に押し出す請求項２〜９のいずれかに記載のフィルタ脱着具。
【請求項１１】
前記フィルタ押出部を前記開放端方向と逆向きに付勢する付勢手段を有し、前記付勢手段の付勢力に抗して前記フィルタ押出部を移動させて、前記突刺部に突き刺された前記フィルタを離脱させる請求項１０に記載のフィルタ脱着具。
【請求項１２】
前記フィルタ押出部は前記突刺体を遊挿する中空体からなる請求項９、１０又は１１に記載のフィルタ脱着具。
【発明の詳細な説明】
【技術分野】
【０００１】
本発明は、調理場、台所、調理器等の付近に設置され、調理時に発生する煙、油煙、調理臭、燃焼ガス、蒸気、油滴等の廃ガスを吸引して排気する排気装置に装着されるフィルタの取付・取外に用いるフィルタ脱着具に関するものである。
【背景技術】
【０００２】
この種の排気装置として、例えば、調理場、調理器、台所等に設置されるレンジフードや換気扇が使用されている。調理用の油脂、魚や肉から油分が飛散すると、レンジフードや換気扇の表面に大量の油分や塵埃が付着し、その除去作業が必要になる。そのため、レンジフードの廃ガス吸引口等には油煙や塵芥等を捕集するためのレンジフードフィルタが装着されている。かかるレンジフードフィルタは、例えば、特許文献１に示すように、廃ガス吸引口に水平に設置されたり、特許文献２に示すように、前傾姿勢で縦置き状に設置されたりしている。
【０００３】
フィルタ材としては、排気中の油分や塵埃を効率的に捕集する繊維フィルタが使用されている。この繊維フィルタは売切商品として販売されており、またレンタル商品としても広範囲に実用化されている。
【０００４】
従来、主な繊維フィルタは、長繊維や短繊維をバインダ剤で相互に結着した不織布を所定形状に裁断した不織布フィルタからなる。
【０００５】
しかしながら、この不織布フィルタは、廃ガスから捕集した油煙や塵埃によって、目詰まりが生じて、通気抵抗が大きくなり、捕集効果が低減してしまうため、新品フィルタへの交換を頻繁に行う必要があった。
【特許文献１】特開２０００−３０４３２５号公報
【特許文献２】特開２００７−２７１１９３号公報
【発明の開示】
【発明が解決しようとする課題】
【０００６】
フィルタ交換は、レンジフードや換気扇から直接、作業者等が脱着する手作業によって行われている。このため、フィルタ交換の際に、油分や塵埃で汚れたフィルタに触れて手や指が汚れたり、衣服に付着したりして、脱着作業が簡易に行えず手間を要する問題を生じていた。
【０００７】
本発明の目的は、上記課題に鑑み、レンジフードや換気扇から作業者等が汚れたフィルタに直に触れることなく、フィルタ脱着作業を簡易且つ円滑に行うことのできるフィルタ脱着具を提供することである。
【課題を解決するための手段】
【０００８】
本発明の第１の形態は、レンジフード又は換気扇のフィルタ取付部に装着されるフィルタの取付・取外に用いるフィルタ脱着具であって、作業者の手指で把握するグリップ部と、前記グリップ部の長手方向に延設された、３本以上の突刺部とを具備し、前記突刺部の開放端を前記フィルタに突き刺して前記フィルタ取付部から脱着するフィルタ脱着具である。
【０００９】
本発明の第２の形態は、前記第１の形態において、前記突刺部は、前記グリップ部に接続される中心部と、前記中心部から放射状に延設された支持腕部と、前記支持腕部の端部に突設された突刺体とからなるフィルタ脱着具である。
【００１０】
本発明の第３の形態は、前記第２の形態において、前記支持腕部と前記突刺体は直線状又は曲線状に連結されているフィルタ脱着具である。
【００１１】
本発明の第４の形態は、前記第２又は第３の形態において、前記突刺体の先端部分が外向き又は内向きに屈曲したフィルタ脱着具である。
【００１２】
本発明の第５の形態は、前記第２、第３又は第４の形態において、前記突刺体は、前記支持腕部の端部に植設された線材からなるフィルタ脱着具である。
【００１３】
本発明の第６の形態は、前記第５の形態において、前記線材は、金属、樹脂又はセラミックスのいずれか又は２種以上の複合材からなるフィルタ脱着具である。
【００１４】
本発明の第７の形態は、前記第４、第５又は第６の形態において、前記線材はクリンプ形状に加工された線材からなるフィルタ脱着具である。
【００１５】
本発明の第８の形態は、前記第２〜第７のいずれかの形態において、前記中心部、前記支持腕部及び前記突刺体が1本の線材を折曲加工又は湾曲加工して構成されたフィルタ脱着具である。
【００１６】
本発明の第９の形態は、前記第１〜第８のいずれかの形態において、前記突刺部の突刺方向に移動自在に配置されたフィルタ分離部材を有し、前記フィルタ分離部材を前記突刺部の前記開放端方向に移動させることにより、前記突刺部に突き刺した前記フィルタを離脱させるフィルタ脱着具である。
【００１７】
本発明の第１０の形態は、前記第２〜第９のいずれかの形態において、前記フィルタ分離部材は、前記中心部に対しスライド自在に収設されるスライド部と、前記スライド部から延設されたフィルタ押出部とからなり、前記スライド部を前記中心部に沿って前記突刺部の突刺方向にスライド移動させることにより、前記フィルタ押出部を前記突刺部に突き刺した前記フィルタに当接させて前記突刺方向と逆の方向に押し出すフィルタ脱着具である。
【００１８】
本発明の第１１の形態は、前記第１０の形態において、前記フィルタ押出部を前記開放端方向と逆向きに付勢する付勢手段を有し、前記付勢手段の付勢力に抗して前記フィルタ押出部を移動させて、前記突刺部に突き刺された前記フィルタを離脱させるフィルタ脱着具である。
【００１９】
本発明の第１２の形態は、前記第９、第１０又は第１１の形態において、前記フィルタ押出部は前記突刺体を遊挿する中空体からなるフィルタ脱着具である。
【発明の効果】
【００２０】
本発明の第１の形態によれば、前記グリップ部を把持して、前記グリップ部の長手方向に延設された、３本以上の突刺部の各開放端を、レンジフード又は換気扇のフィルタ取付部に装着されるフィルタに突き刺すことにより、簡単に保持することができるので、作業者等が汚れたフィルタに直に触れることなく、フィルタ脱着作業を簡易且つ円滑に行うことができる。１本の錐状のものや２本の二股状のものでもフィルタに突き刺すことによりフィルタを保持することもできるが、作業中に容易に抜け落ちる不具合を生ずるため、前記突刺部の本数は、少なくとも３本以上が好ましい。
【００２１】
本発明の第２の形態によれば、前記突刺部は、前記グリップ部に接続される中心部と、前記中心部から放射状に延設された支持腕部と、前記支持腕部の端部に突設された突刺体とからなるので、前記錐状のものでピンポイント的に、あるいは前記二股状のもので２箇所をライン状に突き刺すのではなく、前記グリップ部の前方に放射状に拡がった、３本以上の前記突刺体により、前記フィルタの面に対して各突刺体の突刺位置で形成される突刺面領域で確実に保持することができ、作業中にフィルタが簡単に抜け落ちたりせずにフィルタ脱着作業を円滑に行うことができる。
【００２２】
本発明の第３の形態によれば、前記支持腕部と前記突刺体は直線状又は曲線状に連結されているので、前記支持腕部と前記突刺体を線材加工や成型加工により簡単に一体形成することが可能となり、安価なフィルタ脱着具を得ることができる。
【００２３】
本発明の第４の形態によれば、前記突刺体の先端部分が外向き又は内向きに屈曲しているので、フィルタの繊維に前記先端部分が絡み付いて、より確実にフィルタを保持することができ、フィルタ脱着作業を簡易且つ円滑に行うことができる。
【００２４】
本発明の第５の形態によれば、前記突刺体は、前記支持腕部の端部に植設された線材からなるので、開放端が前記グリップ部の前方に向いた突刺体を前記支持腕部の端部に簡単に形成することができ、安価な突刺型フィルタ脱着具を得ることができる。
【００２５】
本発明の第６の形態によれば、前記線材は、金属、樹脂又はセラミックスのいずれか又は２種以上の複合材からなるので、例えば、金属線材を折曲加工して、前記支持腕部と一体的に前記突刺体を簡単に形成することができ、安価な突刺型フィルタ脱着具を得ることができる。線材の断面形状は丸型の他、角型、扁平板状のものを使用することができる。
【００２６】
一般的なフィルタは、長繊維及び／又は短繊維が絡まって編まれた繊維フィルタである。前記繊維フィルタは絡まった繊維間に空隙が多数を有し、突き刺しやすい材質であるため、前記突刺体自体に余分の強度を与える必要はない。そこで、例えば、樹脂（又はプラスチックス）あるいはセラミックス製線材を前記支持腕部の端部に成形加工ないし溶着加工等により突刺体を簡単に形成することができ、安価な突刺型フィルタ脱着具を得ることができる。樹脂基材には、アクリル（ＰＭＭＡ）、ポリカーボネート（ＰＣ）、ＡＢＳ樹脂、ポリスチレン（ＰＳ）等の熱可塑性樹脂を使用することができる。なお、単一組成の素材に限らず、ガラス繊維を含有した強化プラスチックスを用いて、耐久性に優れた突刺体を形成してもよい。
【００２７】
前記線材には繊維フィルタの構成繊維と絡み易い素材を使用することによりフィルタ保持性を高めることができる。即ち、本発明の第７の形態によれば、クリンプ形状、即ちジグザグ状に加工された線材を用いるので、フィルタ繊維と絡み易い前記突刺体を形成して、フィルタ保持力を向上させることができる。
【００２８】
本発明の第８の形態によれば、前記中心部、前記支持腕部及び前記突刺体が1本の線材を折曲加工又は湾曲加工して構成されているので、例えば、鋼、ステンレス、鉄ユニクロメッキ線あるいはビニールコーティング鉄線等の針金線材（直径：約０．３５ｍｍ〜５ｍｍ）を用いて前記中心部、前記支持腕部及び前記突刺体を一体的に折曲加工又は湾曲加工して、安価な突刺型フィルタ脱着具を得ることができる。
【００２９】
本発明に係るフィルタ脱着具により突刺して保持されたフィルタは、前記グリップ部を把持して軽く振ったりして、突き刺したフィルタを前記突刺部から離脱させることができる。しかし、この振るい落としの際に、廃棄フィルタから居宅内等に汚れ物質を飛散させてしまうおそれがある。そこで、本発明の第９の形態によれば、前記突刺部の突刺方向に移動自在に配置されたフィルタ分離部材を有し、前記フィルタ分離部材を前記突刺部の前記開放端方向に移動させることにより、前記突刺部に突き刺した前記フィルタを離脱させるので、フィルタ脱着具を振ったり、フィルタを掴んだりせずとも、前記フィルタ分離部材を移動させて、所望の回収場所に向けてフィルタを前記突刺部から簡単に離脱させることができ、居宅内等に汚れ物質を飛散させずに、フィルタ脱着作業を清潔且つ簡易に行うことができる。
【００３０】
本発明の第１０の形態によれば、前記フィルタ分離部材は、前記中心部に対しスライド自在に収設されるスライド部と、前記スライド部から延設されたフィルタ押出部とからなり、前記スライド部を前記中心部に沿って前記突刺部の突刺方向にスライド移動させることにより、前記フィルタ押出部を前記突刺部に突き刺した前記フィルタに当接させて前記突刺方向と逆の方向に押し出すので、前記中心部に対し前記スライド部をスライドさせるだけで、前記フィルタ押出部により、前記突刺部に突き刺したフィルタを前記グリップ部より前方に押し出して、ワンタッチで離脱させることができ、居宅内等に汚れ物質を飛散させずに、フィルタ脱着作業を清潔且つ簡易に行うことができる。
【００３１】
本発明の第１１の形態によれば、前記フィルタ押出部を前記開放端方向と逆向きに付勢する付勢手段を有し、前記付勢手段の付勢力に抗して前記フィルタ押出部を移動させて、前記突刺部に突き刺された前記フィルタを離脱させるので、前記フィルタ押出部は、通常時、前記付勢手段の付勢力により前記開放端方向と逆向きに付勢されており、前記突刺部によるフィルタ突刺作業の妨げとならない。従って、フィルタ突刺作業の後、該付勢力に抗して前記フィルタ押出部を移動させ前記突刺部に突き刺したフィルタを押し出して、ワンタッチで離脱させることができるため、フィルタ突刺作業及び離脱作業を手指の操作だけで簡易に行える突刺型フィルタ脱着具を得ることができる。
【００３２】
本発明の第１２の形態によれば、前記フィルタ押出部は前記突刺体を遊挿する中空体からなるので、前記フィルタ押出部を前記突刺体に重ね合わせて形成でき、前記突刺部及び前記フィルタ押出部の構成をコンパクト化することができ、作業操作が簡単且つ持ち運び・収納に便利なフィルタ脱着具を得ることができる。
【発明を実施するための最良の形態】
【００３３】
本発明の実施形態に係るフィルタ脱着具を図面を参照して以下に説明する。
図１〜図６は夫々、クリンプ形状に加工された針金線材（以下、クリンプワイヤという。）を用いて突刺部を形成した実施形態を示す。
本実施形態における線材のクリンプ形状とはジグザグ形状を意味しており、線材がフィルタ繊維と絡んでフィルタから抜け難い性質を有する。しかし、本発明の線材には、前記クリンプワイヤ以外に、直線状線材や、線材周面が凹凸状に変形加工又は粗面加工されてフィルタ繊維と絡む性質を有する線材、周期的に算盤玉状に線材の断面直径が大小変化してフィルタ繊維と絡む性質を有する線材、あるいは長手方向に沿って捩り変形させてフィルタ繊維と絡む性質を有する線材など、各種形状の線材が利用できることは云うまでもない。前記クリンプワイヤは断面円形の丸型線材を使用しているが、本発明の線材には、断面形状が角型あるいは扁平板状のものを使用することができる。
図１は実施例１のフィルタ脱着具を示す外観斜視図である。実施例１に係るフィルタ脱着具は、作業者の手指で把握するグリップ部１と、グリップ部１の長手方向に放射状に外延された４本の突刺部を有する。各突刺部はクリンプワイヤを２段階に折曲加工して形成され、夫々の終端部分を互いに結束してグリップ部１の芯材（中心部）２を構成している。
【００３４】
グリップ部１を把持しやすいように、芯材２の外周に被覆テープが巻着されている。有底円筒状中空体のグリップ柄に芯材２を挿着して芯材外周を被覆し、グリップ部１を形成してもよい。かかるグリップ柄の材質には木材、金属、樹脂を使用することができる。また、熱硬化性樹脂を芯材２外周に溶着させて被覆してもよい。
【００３５】
前記クリンプワイヤには、フィルタ繊維に絡ませるために、中心線に対して５°〜２０°に、数ｍｍ〜約１ｃｍピッチで折曲加工された金属ワイヤを使用することができる。ワイヤ径は約０．３５ｍｍ〜５ｍｍであり、ワイヤ素材としては、例えば鋼、ステンレス、鉄ユニクロメッキ線あるいはビニールコーティング鉄線を使用することができる。各突刺部は芯材２の終端部分から放射状に延設された支持腕部３と、支持腕部３の端部から更に外向きに拡げて延設された突刺体４からなる。
【００３６】
本実施例１では、１本の突刺部を１本のクリンプワイヤを折曲加工して形成しているが、終端で折り返して別の突刺部を形成して、１本のクリンプワイヤで２本の突刺部を形成するようにしてもよい。
【００３７】
４本の各突刺部における、支持腕部３と突刺体４の屈曲点の夫々を結ぶと矩形５の放射形状を形成している。突刺体４の開放端の夫々を結ぶと、矩形５面積より、１．５倍〜３倍程度大きい矩形６の放射形状を形成している。突刺体４はフィルタの厚みを貫通する長さを有する。フィルタ繊維と絡み付きやすいクリンプワイヤの使用により、突刺体４の長さはフィルタの厚み程度でも十分なフィルタ保持力を持たせることができる。
【００３８】
実施例１に係るフィルタ脱着具は、例えば、レンジフードないし換気扇に取着された使用済みフィルタを取り外すとき、グリップ部１を把持して、その使用済みフィルタのフィルタ面に突刺体４の開放端を向けて突き刺すことにより、フィルタ繊維に突刺体４を絡ませて保持し、レンジフードないし換気扇からのフィルタ脱離作業を行うことができる。また、レンジフードないし換気扇の清掃等において一時的に取り外した使用中のフィルタを再度装着する際にも、同様に、仮置きした使用中のフィルタのフィルタ面に突刺体４の開放端を向けて突き刺すことにより、フィルタ繊維に突刺体４を絡ませて保持し、レンジフードないし換気扇への装着作業を行うことができる。
【００３９】
本実施例１によれば、錐状のものでピンポイント的に、あるいは二股状のもので２箇所をライン状に突き刺すのではなく、グリップ部１の前方に放射状に拡がった４本の突刺体４により、フィルタの面に対して各突刺体の突刺位置で形成される突刺面領域（矩形６の枠に対応する４点領域）で確実に保持することができ、作業中にフィルタが簡単に抜け落ちたりせずに、フィルタ脱着作業を円滑に行うことができる。
【００４０】
突刺体４によるフィルタ保持力を更に向上させるためには、突刺体４の先端部分７を外向きに屈曲すればよい。
【００４１】
図２はクリンプワイヤを用いた実施例２のフィルタ脱着具を示す外観斜視図である。外向きに拡がった先端部分７が繊維間に入り込んで絡み付くので、より確実にフィルタを保持することができ、フィルタ脱着作業を簡易且つ円滑に行うことができる。突刺方向とは異なる方向に入り込ませるように先端部分７を変形すれば、繊維間に絡み付きやすくなるので、外向きに限らず、内向きあるいはそれらを組み合わせて複合的に先端部分を拡げ曲げ加工してもよい。
【００４２】
図３はクリンプワイヤを用いた実施例３のフィルタ脱着具を示す外観斜視図である。なお、図３においては、図１及び図２と同様の構成部分につき同じ符号を付している。実施例３に係るフィルタ脱着具は、４本の突刺体の実施例１及び２に対して、３本の突刺体９で構成された突刺部を有する。グリップ部１及び各突刺部は、実施例１及び２と同様にクリンプワイヤを２段階に折曲加工して形成されている。
【００４３】
３本の各突刺部はグリップ部１に対して延設された支持腕部８と突刺体９を有する。支持腕部８と突刺体９の屈曲点の夫々を結ぶと２等辺三角形１０の放射形状を形成している。突刺体９の開放端の夫々を結ぶと、２等辺三角形１０の面積より、１．５倍〜３倍程度大きい２等辺三角形１１の放射形状を形成している。
【００４４】
実施例３に係るフィルタ脱着具においては、フィルタ取外の際、例えば、２等辺三角形１０、１１の底辺を下向きにしてグリップ部１を把持し、フィルタ面に突刺体９の開放端を向けて突き刺すことにより、フィルタ繊維に突刺体９を絡ませて３点支持により保持することができる。実施例４の場合には、４本の突刺体の実施例１及び２における４点支持と同程度のフィルタ保持力を、３本の突刺部構成による３点支持によって得ることができるので、材料コストの低減を図ることができる。なお、突刺体９の開放端により形成される突刺面領域は２等辺三角形に限らず正三角形であってもよい。
【００４５】
図４はクリンプワイヤを用いた実施例４のフィルタ脱着具を示す外観斜視図である。なお、図４においては、図１〜図３と同様の構成部分につき同じ符号を付している。実施例１〜３においては、ワイヤ折曲加工により突刺体４、９をグリップ部１に対して前方に拡がった支持腕部３、８を介して延設している。一方、本実施例４では、ワイヤ折曲加工により支持腕部１２をグリップ部１に対して略直交する向きに配設している。突刺体１３は支持腕部１２の終端から直角に曲げられて前方に向いている。４つの支持腕部１２は一平面上に位置し、夫々の交差角θ１、θ２が異なるように、各突刺部の終端部分を結束している。交差角θ２はθ１の約２倍である。
【００４６】
例えば、レンジフードに装着されるフィルタ形状が長方形であり、フィルタ上下で縦長状に係止させられている場合に、フィルタ脱着をする際に上下方向のバランスをとって作業する必要を生ずる。そこで、実施例４に係るフィルタ脱着具によれば、フィルタ取外の際、例えば、交差角θ１を上側にして、つまり、２本の突刺体１３が接近した向きが上下になるようにしてグリップ部１を把持し、フィルタ面に突刺体１３の開放端を向けて突き刺すことにより、フィルタ繊維に突刺体９を絡ませて４点支持で、且つ、上下に夫々２点支持した状態で堅固に保持することができる。また、本実施例４では、支持腕部１２をグリップ部１に対して略直交する向きに配設しているので、突刺体１３の開放端からグリップ部１終端までの長さが最小限になり、小型ないしコンパクト構成にすることができる。
【００４７】
上記実施例１〜４においては、芯材（中心部）２の根元部分から支持腕部３、８、１２を外延し、更に各支持腕部の終端を折り曲げて突刺体４、９、１３を形成しているが、本発明に係る突刺部としては、1本の線材を中心部の根元部分から放射状且つ直線状に延ばして突刺体を形成した直線形態のものも含む。
図５は上記直線形態の突刺部からなる実施例５を示す。実施例５のフィルタ脱着具は実施例３と同様に、３本の突刺体９Ａで構成された突刺部を有する。グリップ部１及び各突刺部は、実施例１〜４と同様にクリンプワイヤを折曲加工して形成されている。各突刺体９Ａはグリップ部１の根元部分１Ａから鋭角的に外延され、突刺体９Ａの開放端の夫々を結ぶと三角形１１Ａを形成している。
【００４８】
実施例５に係るフィルタ脱着具においては、グリップ部１を把持し、フィルタ面に突刺体９Ａの開放端を向けて突き刺すことにより、フィルタ繊維に突刺体９Ａを絡ませて３点支持により保持することができる。実施例５によれば、支持腕部及び突刺体を直線状に一体形成して構成されているので、クリンプワイヤを１回屈曲加工するだけで簡単に製造でき、安価な突刺型フィルタ脱着具を得ることができる。
【００４９】
また、本発明に係る突刺部としては、1本の線材を中心部の根元部分から放射状且つ円弧状に延ばして突刺体を形成した湾曲形態のものも含む。
図６は上記湾曲形態の突刺部からなる実施例６を示す。実施例６のフィルタ脱着具は実施例１と同様に、４本の突刺体４Ａで構成された突刺部を有する。グリップ部１及び各突刺部は、実施例１〜５と同様にクリンプワイヤを折曲加工して形成されている。各突刺部においては、グリップ部１の根元部分１Ａから湾曲状に外延され、湾曲状支持腕部３Ａが形成されている。支持腕部３Ａの終端からは、グリップ部１の長手方向に略平行に突刺体４Ａが延設されており、突刺体４Ａの開放端の夫々を結ぶと四角形６Ａを形成している。
【００５０】
実施例６に係るフィルタ脱着具においては、グリップ部１を把持し、フィルタ面に突刺体４Ａの開放端を向けて突き刺すことにより、フィルタ繊維に突刺体４Ａを絡ませて４点支持により保持することができる。実施例６によれば、支持腕部及び突刺体が湾曲状に一体形成されて構成されているので、クリンプワイヤを根元部分１Ａで屈曲且つ湾曲変形加工するだけで簡単に製造でき、安価な突刺型フィルタ脱着具を得ることができる。
【００５１】
図７〜図１３は、フィルタ脱着具により突き刺して保持したフィルタを簡単に離脱させる離脱手段を脱着具本体と一体的に設けた別の実施形態を示す。
図７は本実施形態に係るフィルタ脱着具の外観斜視図である。図８は図７のフィルタ脱着具の一部切り欠き側面図である。このフィルタ脱着具は、４本の突刺体２２を具備した本体部２０と、本体部２０に一体的且つスライド自在に付設されたフィルタ離脱用可動体２１とからなる。
【００５２】
図９は本体部２０の一部切り欠き側面図である。図１０は本体部２０の上面図である。本体部２０は、前記図４の実施例４と同様に、支持腕部２４をグリップ部２３に接続した中空軸部３０に対して直交する向きに配設している。突刺体２２は支持腕部２４の終端部２５に垂直に植設されている。４つの支持腕部２４と中心部２９は、中心部２９から放射状に互いに十字形に組み合わされた形状を有し、ダイキャスト鋳造金属で形成されている。即ち、グリップ部２３に対して、４つの支持腕部２４が延設された本体部２０は図４の交差角θ１＝θ２に対応する。支持腕部２４の腕部には長手方向に溝２８が刻設され、部分的な薄肉化による軽量化が図られている。突刺体２２はクリンプワイヤを短く切断したワイヤ片からなり、一端が終端部２５に設けた貫通穴２７に挿入され、終端部２５の外側部の貫通穴から圧入されたピン２６によって、開放端が外向きに向いた垂直状態に固定されている。
【００５３】
中心部２９の中央穴部には中空軸部３０の先端が圧入され、中空軸部３０が連結されている。グリップ部２３は木製のグリップ柄具からなり、中空軸部３０の他方の端部を該グリップ柄具の貫通穴部に圧入して、グリップ部２３が取着、形成されている。
【００５４】
図１１はフィルタ離脱用可動体２１の上面図である。図１２はフィルタ離脱用可動体２１の一部切り欠き側面図である。可動体２１は、中心部４０から放射状に延設された４つの支持腕３３を有する。中心部４０の中央穴部にはスライド軸３２が圧入、固着されている。４つの支持腕３３はダイキャスト鋳造金属により、本体部２０の形状に対して、全体として略同一の十字形に形成されている。支持腕３３にも長手方向に沿って溝３７が刻設され、部分的な薄肉化による軽量化が図られている。各支持腕３３の先端部３６には、上方に向けて、中空体からなるフィルタ押出体３４が突設されている。フィルタ押出体３４は突刺体２２を遊挿させる中空部３５を有する。
【００５５】
図８に示すように、スライド軸３２は中空軸部３０の貫通穴をスライド自在に挿着されている。この挿着状態において、各フィルタ押出体３４は中空部３５を突刺体２２が貫通する状態になるように、可動体２１が本体部２０に当接して重ね合わされる。中空軸部３０の一部には軸方向に沿ったレバースライド開口部３１が切り欠き形成されている。図１２に示すように、スライド軸３２の下端側にはレバー取り付け用ビス部３９が螺設されており、スライド軸３２を中空軸部３０に挿着した状態でビス部３９に操作レバー３８がビス止めされる。更に、図８に示すように、４つの支持腕部２４の中心部２９と操作レバー３８の間にスプリング４１が介挿されており、操作レバー３８を押圧して、可動体２１をグリップ部２３側に引き込む方向に常時、付勢している。レバースライド開口部３１は、可動体２１と本体部２０の当接状態から、各フィルタ押出体３４が突刺体２２の長さ以上、前方に移動可能な長さに設定されている。
【００５６】
図７の実施形態に係るフィルタ脱着具を用いて、レンジフードないし換気扇に取着された使用済みフィルタを取り外すとき、グリップ部２３を把持して、フィルタ面に突刺体２２の開放端を向けて突き刺すことにより、フィルタ繊維に突刺体２２を絡ませて保持し、レンジフードないし換気扇からのフィルタ脱離作業を行うことができる。このとき、図５に示すように、スプリング４１の付勢により、操作レバー３８が押圧されて、可動体２１はグリップ部２３側に引き込む方向に保持されており、突刺体２２の開放端は十分に露出しており、突き刺し作業に影響しない。
【００５７】
図１３は、図７の実施形態に係るフィルタ脱着具によるフィルタ離脱作用を説明するための一部切り欠き側面図である。突き刺したフィルタを脱離させる際、グリップ部２３を把持しながら、付勢手段であるスプリング４１の付勢力に抗して、操作レバー３８をレバースライド開口部３１に沿って押し込むことにより、フィルタ押出体３４を前方に移動させる。操作レバー３８の押し込み操作により、各フィルタ押出体３４が突刺体２２の長さ以上、前方に移動すると、突刺体２２に深く入り込んだフィルタＦが押し出されて脱離してしまう。
【００５８】
従って、フィルタ脱着具を無理に振ったり、フィルタを掴んだりせずとも、操作レバー３８を手指で操作するだけで、所望の回収場所に向けて汚染されたフィルタＦを簡単に離脱させることができ、居宅内等に汚れ物質を飛散させずに、フィルタ脱着作業を清潔且つ簡易に行うことができる。しかも、フィルタ押出体３４は、通常時、スプリング４１の付勢力により突刺体２２の開放端方向と逆向きに付勢されており、突刺体２２によるフィルタ突刺作業の妨げとならず、フィルタ突刺作業及び離脱作業を手指の操作だけで簡易に行うことができる。更に、フィルタ押出体３４は突刺体２２を遊挿する中空体からなり、可動体２１と本体部２０をスプリング４１の付勢力により密着させておくことができるため、全体の構成をコンパクト化することができ、作業操作が簡単且つ持ち運び・収納に便利なフィルタ脱着具を得ることができる。可動体２１及び／又は本体部２０を樹脂ないしプラスチック製で形成して軽量化してもよい。
【００５９】
尚、本発明は上記実施形態に限定されるものではなく、本発明の技術的思想を逸脱しない範囲における種々変形例、設計変更などをその技術的範囲内に包含するものであることは云うまでもない。
【産業上の利用可能性】
【００６０】
本発明によれば、レンジフードや換気扇において使用されて、汚れのひどいフィルタに直に触れずに、フィルタ脱着作業が簡易且つ円滑に行えるフィルタ脱着具を提供することできる。
【図面の簡単な説明】
【００６１】
【図１】本発明の一実施形態における実施例１のフィルタ脱着具の外観斜視図である。
【図２】前記実施形態における実施例２のフィルタ脱着具の外観斜視図である。
【図３】前記実施形態における実施例３のフィルタ脱着具の外観斜視図である。
【図４】前記実施形態における実施例４のフィルタ脱着具の外観斜視図である。
【図５】前記実施形態における実施例５のフィルタ脱着具の外観斜視図である。
【図６】前記実施形態における実施例６のフィルタ脱着具の外観斜視図である。
【図７】本発明の別の実施形態に係るフィルタ脱着具の外観斜視図である。
【図８】図７のフィルタ脱着具の一部切り欠き側面図である。
【図９】図７のフィルタ脱着具を構成する本体部２０の一部切り欠き側面図である。
【図１０】前記本体部２０の上面図である。
【図１１】図７のフィルタ脱着具に設けたフィルタ離脱用可動体２１の上面図である。
【図１２】前記可動体２１の一部切り欠き側面図である。
【図１３】図７のフィルタ脱着具の脱着作用を説明するための一部切り欠き側面図である。
【符号の説明】
【００６２】
１      グリップ部
１Ａ    根元部分
２      芯材
３      支持腕部
３Ａ    支持腕部
４      突刺体
４Ａ    突刺体
５      矩形
６      矩形
６Ａ    四角形
７      先端部分
８      支持腕部
９      突刺体
９Ａ    突刺体
１０    ２等辺三角形
１１    ２等辺三角形
１１Ａ  三角形
１２    支持腕部
１３    突刺体
２０    本体部
２１    可動体
２２    突刺体
２３    グリップ部
２４    支持腕部
２５    終端部
２６    ピン
２７    貫通穴
２８    溝
２９    中心部
３０    中空軸部
３１    レバースライド開口部
３２    スライド軸
３３    支持腕
３４    フィルタ押出体
３５    中空部
３６    先端部
３７    溝
３８    操作レバー
３９    ビス部
４０    中心部
４１    スプリング
θ１    交差角
θ２    交差角
Ｆ      フィルタ
【図１】
2010107119.tif 000003
【図２】
2010107119.tif 000004
【図３】
2010107119.tif 000005
【図４】
2010107119.tif 000006
【図５】
2010107119.tif 000007
【図６】
2010107119.tif 000008
【図７】
2010107119.tif 000009
【図８】
2010107119.tif 000010
【図９】
2010107119.tif 000011
【図１０】
2010107119.tif 000012
【図１１】
2010107119.tif 000013
【図１２】
2010107119.tif 000014
【図１３】
2010107119.tif 000015